【手続補正書】
【提出日】平成23年7月4日(2011.7.4)
【手続補正１】
【補正対象書類名】特許請求の範囲
【補正対象項目名】全文
【補正方法】変更
【補正の内容】
【特許請求の範囲】
【請求項１】
以下を含む燃料組成物：
（a）燃料組成物の総重量に基づいて少なくとも5重量%の量の、シクロヘキサン環に四級炭素原子を有するテトラメチルシクロヘキサン；及び、
（b）燃料成分。
【請求項２】
前記テトラメチルシクロヘキサンが
【化１】
2010534251.tif 000001
、又はその少なくとも1つの立体異性体である、請求項1記載の燃料組成物。
【請求項３】
前記テトラメチルシクロヘキサンが
【化２】
2010534251.tif 000002
、又はその少なくとも1つの立体異性体である、請求項1記載の燃料組成物。
【請求項４】
前記燃料成分が石油系燃料成分である、請求項1記載の燃料組成物。
【請求項５】
前記石油系燃料成分がガソリンである、請求項4記載の燃料組成物。
【請求項６】
前記石油系燃料成分がジェット燃料である、請求項4記載の燃料組成物。
【請求項７】
前記石油系燃料成分が灯油である、請求項4記載の燃料組成物。
【請求項８】
前記燃料成分が石炭系燃料成分である、請求項1記載の燃料組成物。
【請求項９】
燃料添加物を更に含む、請求項1記載の燃料組成物。
【請求項１０】
前記燃料添加物が酸素化物、抗酸化剤、熱安定性向上剤、セタン向上剤、安定剤、寒冷流動性向上剤、助燃剤、消泡剤、抗くもり添加物、腐食抑制剤、潤滑性向上剤、着氷阻害剤、噴霧器清浄添加物、煙抑制剤、抵抗減少添加物、金属不活性化剤、分散剤、洗浄剤、解乳化剤、色素、マーカー、静電気消散剤、殺生物剤、及びこれらの組み合わせからなる群から選択される、請求項9記載の燃料組成物。
【請求項１１】
前記テトラメチルシクロヘキサンの量が、燃料組成物の総重量に基づいて、多くても約30重量%である、請求項1記載の燃料組成物。
【請求項１２】
前記テトラメチルシクロヘキサンの量が、燃料組成物の総重量に基づいて、多くても約20重量%である、請求項1記載の燃料組成物。
【請求項１３】
前記テトラメチルシクロヘキサンの量が、燃料組成物の総重量に基づいて、多くても約10重量%である、請求項1記載の燃料組成物。
【請求項１４】
以下を含む、請求項1記載の燃料組成物：
（a）
【化３】
2010534251.tif 000003
、又はその少なくとも1つの立体異性体；
（b）
【化４】
2010534251.tif 000004
、又はその少なくとも1つの立体異性体；
（c）
【化５】
2010534251.tif 000005
、又はその少なくとも1つの立体異性体；及び、
（d）
【化６】
2010534251.tif 000006
、又はその少なくとも1つの立体異性体、
ここで、（a）、及び（b）の総量は、（a)-(d）の総重量に基づいて、約1重量%〜約99重量%であり、かつ（c）、及び（d）の総量は、0.5重量%〜約50重量%である。
【請求項１５】
以下を更に含む、請求項14の燃料組成物：
（e）
【化７】
2010534251.tif 000007
、又はその少なくとも1つの立体異性体； 
（f）
【化８】
2010534251.tif 000008
；及び、
（g）
【化９】
2010534251.tif 000009
、又はその少なくとも1つの立体異性体；
ここで、（e）の量は、（a)-(g）の総重量に基づいて、0重量%〜約50重量%であり、（f）の量は、約0.1重量%〜約20重量%であり、かつ（g）の量は、約0.1重量%〜約30重量%である。
【請求項１６】
（a）、及び（b）の総量が、（a)-(g）の総重量に基づいて、約50重量%〜約99重量%である、請求項15記載の燃料組成物。
【請求項１７】
（a）、及び（b）の総量が、（a)-(g）の総重量に基づいて、約80重量%〜約99重量%である、請求項15記載の燃料組成物。
【請求項１８】
（c）、及び（d）の総量が、（a)-(g）の総重量に基づいて、約10重量%未満である、請求項15記載の燃料組成物。
【請求項１９】
RBOB、CARBOB、又はAZ RBOBである、請求項1記載の燃料組成物。
【請求項２０】
7.0psi〜15.0psiの間のReid蒸気圧を有する、請求項1記載の燃料組成物。
【請求項２１】
少なくともテトラメチルシクロヘキサンを形成するために水素化触媒の存在下においてピネンを水素と接触することを含む、燃料組成物を製造する方法。
【請求項２２】
前記ピネンがα-ピネン、β-ピネン、又はこれらの組み合わせである、請求項21記載の方法。
【請求項２３】
前記水素化触媒がルテニウム触媒を含む、請求項21記載の方法。
【請求項２４】
前記ルテニウム触媒が支持物質上のルテニウムである、請求項23記載の方法。
【請求項２５】
前記支持物質が炭素である、請求項24記載の方法。
【請求項２６】
燃料組成物を製造するためにテトラメチルシクロヘキサンを燃料成分と混合する工程を更に含む、請求項21記載の方法。
【請求項２７】
前記燃料成分が石油系燃料成分である、請求項26記載の方法。
【請求項２８】
前記石油系燃料成分がガソリンである、請求項27記載の方法。
【請求項２９】
前記石油系燃料成分がジェット燃料である、請求項27記載の方法。
【請求項３０】
前記石油系燃料成分が灯油である、請求項27記載の方法。
【請求項３１】
内燃機関；該内燃機関に接続する燃料タンク；及び燃料タンク内の燃料組成物を含む乗物であって、該燃料組成物は、該燃料組成物の総重量に基づいて少なくとも5重量%の、シクロヘキサン環に四級炭素原子を有するテトラメチルシクロヘキサン、及び、燃料成分を含み、該燃料組成物は、該内燃機関に動力を供給するために使用される、前記乗物。
【請求項３２】
前記内燃機関がガソリン機関である、請求項31記載の乗物。
【請求項３３】
前記テトラメチルシクロヘキサンが
【化１０】
2010534251.tif 000010
、又はその少なくとも1つの立体異性体である、請求項31記載の乗物。
【請求項３４】
前記テトラメチルシクロヘキサンが
【化１１】
2010534251.tif 000011
、又はその少なくとも1つの立体異性体である、請求項31記載の乗物。
【請求項３５】
内燃機関；該内燃機関に接続する燃料タンク；及び該燃料タンク内の燃料組成物を含む乗物であって、該燃料組成物は、水素化触媒の存在下においてピネンを水素と接触することによって製造され、かつ該燃料組成物は、該内燃機関に動力を供給するために使用される、前記乗物。
【請求項３６】
前記ピネンがα-ピネン、β-ピネン、又はこれらの組み合わせである、請求項35記載の方法。
【請求項３７】
前記内燃機関がガソリン機関である、請求項35記載の乗物。
【請求項３８】
燃料組成物を製造する方法であって：
（a）ピネンを製造することができる細胞を、ピネンを製造するために適した条件下で糖と接触させる工程；
（b）ピネンをピナンに変換する工程；
（c）ピナンを少なくともテトラメチルシクロヘキサンに変換する工程；及び、
（d）テトラメチルシクロヘキサンを燃料成分と混合して燃料組成物を製造する工程、
を含む、前記方法。
【請求項３９】
前記ピネンが第1の水素化触媒の存在下において水素によってピナンに変換される、請求項38記載の方法。
【請求項４０】
前記ピナンが第2の水素化触媒の存在下において水素によってテトラメチルシクロヘキサンに変換される、請求項38記載の方法。
【請求項４１】
RBOBを製造する方法であって、シクロヘキサン環に四級炭素原子を有するテトラメチルシクロヘキサンを含む燃料組成物とガソリンを混合することを含み、該RBOBは、約7.0psi〜約15.0psiのReid蒸気圧を有し、かつテトラメチルシクロヘキサンの量の量は、燃料組成物の総重量に基づいて、約1重量%〜約50重量%である、前記方法。
【請求項４２】
前記テトラメチルシクロヘキサンが
【化１２】
2010534251.tif 000012
、又はその少なくとも1つの立体異性体である、請求項41記載の方法。
【請求項４３】
前記テトラメチルシクロヘキサンが
【化１３】
2010534251.tif 000013
、又はその少なくとも1つの立体異性体である、請求項41記載の方法。
【請求項４４】
燃料組成物を含む燃料タンクであって、該燃料組成物は、燃料組成物の総重量に基づいて少なくとも5重量%の、シクロヘキサン環に四級炭素原子を有するテトラメチルシクロヘキサン、及び、燃料成分を含む、前記燃料タンク。
【請求項４５】
前記テトラメチルシクロヘキサンが
【化１４】
2010534251.tif 000014
、又はその少なくとも1つの立体異性体である、請求項44記載の燃料タンク。
【請求項４６】
前記テトラメチルシクロヘキサンが
【化１５】
2010534251.tif 000015
、又はその少なくとも1つの立体異性体である、請求項44記載の燃料タンク。
【請求項４７】
前記燃料タンクが乗物燃料タンクである、請求項44記載の燃料タンク。
【請求項４８】
ガソリン、及びシクロヘキサン環に四級炭素原子を有する少なくとも1つのテトラメチルシクロヘキサンを含む燃料組成物であって、該テトラメチルシクロヘキサンの量が、燃料組成物の総重量に基づいて、約1重量%〜約50重量%である、前記燃料組成物。
【請求項４９】
前記テトラメチルシクロヘキサンが
【化１６】
2010534251.tif 000016
、又はその少なくとも1つの立体異性体である、請求項48記載の燃料組成物。
【請求項５０】
前記テトラメチルシクロヘキサンが
【化１７】
2010534251.tif 000017
、又はその少なくとも1つの立体異性体である、請求項48記載の燃料組成物。
【請求項５１】
燃料添加物を更に含む、請求項50記載の燃料組成物。
【請求項５２】
前記燃料添加物が酸素化物、抗酸化剤、熱安定性向上剤、セタン向上剤、安定剤、寒冷流動性向上剤、助燃剤、消泡剤、抗くもり添加物、腐食抑制剤、潤滑性向上剤、着氷阻害剤、噴霧器清浄添加物、煙抑制剤、抵抗減少添加物、金属不活性化剤、分散剤、洗浄剤、解乳化剤、色素、マーカー、静電気消散剤、殺生物剤、及びこれらの組み合わせからなる群から選択される、請求項51記載の燃料組成物。